(57)【特許請求の範囲】
【請求項１】
互いにスライド自在に機械的に連結されている第１の筐体と第２の筐体とが、両筐体のスライド対向面間を折り返して通されるフレキシブルプリント基板にて電気的にも接続される前記フレキシブルプリント基板の実装構造であって、
前記第１及び第２の筐体のうち、少なくとも一方の筐体を構成する側壁面の高さが、前記スライド自在の方向に沿って、一定の上昇率又は下降率で斜め傾斜に変化する傾斜角一定の構成とされ、かつ、
前記第１及び第２の筐体のうち、前記少なくとも一方の筐体の前記スライド対向面には、前記第１の筐体と前記第２の筐体とのスライド動作に伴う前記フレキシブルプリント基板の折り返しの曲率及び位置の変化を吸収するための凹空間部が設けられ、
前記側壁面の高さが上昇するにつれて、前記凹空間部の深みが、一定の増加率で増加する一方、前記側壁面の高さが下降するにつれて、前記凹空間部の深みが、一定の減少率で減少する構成となっていて、
前記第１の筐体と第２の筐体との間で、スライド開動作が進むにつれて、前記凹空間部内の折り返し環境が高さ方向に漸次広がる一方、スライド閉動作が進むにつれて、前記折り返し環境が高さ方向に漸次狭まる構成となっていることで、
前記スライド開動作が進むにつれて、漸次小さな曲率で、前記スライド閉動作が進むにつれて、漸次大きな曲率で、前記フレキシブルプリント基板が折り返されることを特徴とするフレキシブルプリント基板の実装構造。
【請求項２】
前記フレキシブルプリント基板を前記第１及び第２の筐体の前記スライド対向面間に引き出す引出口は、該スライド対向面の最大開放スライド状態でも対面する領域内に該フレキシブルプリント基板の全体を収納させる位置に開口していることを特徴とする請求項１記載のフレキシブルプリント基板の実装構造。
【請求項３】
前記フレキシブルプリント基板を前記第１及び第２の筐体の前記スライド対向面間に引き出す引出口は、該スライド対向面の少なくとも一方の前記凹空間部では当該スライド対向面のスライド開動作方向の後端部に開口するとともに、他方の前記スライド対向面では当該スライド対向面のスライド開動作方向の後端部よりも前寄りに開口していることを特徴とする請求項１又は２記載のフレキシブルプリント基板の実装構造。
【請求項４】
前記凹空間部は、前記第１の筐体の前記スライド対向面の当該スライド対向面のスライド開動作方向の後端部から少なくとも中央付近まで延在して、当該凹空間部内の該後端部に開口する第１の引出口から前記フレキシブルプリント基板を引き出して収納する一方、
前記第２の筐体の前記フレキシブルプリント基板を引き出す第２の引出口は、最大開放スライド状態で前記第１の引出口に対向する位置に開口して、
前記第１及び第２の引出口から引き出されて前記凹空間部の中央側で折り返されている前記フレキシブルプリント基板を前記スライド対向面の間に収納することを特徴とする請求項１、２又は３記載のフレキシブルプリント基板の実装構造。
【請求項５】
互いにスライド自在に機械的に連結されている第１の筐体と第２の筐体と、前記第１及び第２の筐体のスライド対向面間を折り返して通されるフレキシブルプリント基板とを備えるスライド式電子機器であって、
前記第１及び第２の筐体のうち、少なくとも一方の筐体を構成する側壁面の高さが、前記スライド自在の方向に沿って、一定の上昇率又は下降率で斜め傾斜に変化する傾斜角一定の構成とされ、かつ、
前記第１及び第２の筐体のうち、前記少なくとも一方の筐体の前記スライド対向面には、前記第１の筐体と前記第２の筐体とのスライド動作に伴う前記フレキシブルプリント基板の前記折り返しの曲率及び位置の変化を吸収するための凹空間部が設けられ、
前記側壁面の高さが上昇するにつれて、前記凹空間部の深みが、一定の増加率で増加する一方、前記側壁面の高さが下降するにつれて、前記凹空間部の深みが、一定の減少率で減少する構成となっていて、
前記第１の筐体と第２の筐体との間で、スライド開動作が進むにつれて、前記凹空間部内の折り返し環境が高さ方向に漸次広がる一方、スライド閉動作が進むにつれて、前記折り返し環境が高さ方向に漸次狭まる構成となっていることで、
前記スライド開動作が進むにつれて、漸次小さな曲率で、前記スライド閉動作が進むにつれて、漸次大きな曲率で、前記フレキシブルプリント基板が折り返されることを特徴とするスライド式電子機器。
【請求項６】
前記フレキシブルプリント基板を前記第１及び第２の筐体の前記スライド対向面間に引き出す引出口は、該スライド対向面の最大開放スライド状態でも対面する領域内に該フレキシブルプリント基板の全体を収納させる位置に開口していることを特徴とする請求項５記載のスライド式電子機器。
【請求項７】
前記フレキシブルプリント基板を前記第１及び第２の筐体の前記スライド対向面間に引き出す引出口は、該スライド対向面の少なくとも一方の前記凹空間部では当該スライド対向面のスライド開動作方向の後端部に開口するとともに、他方の前記スライド対向面では当該スライド対向面のスライド開動作方向の後端部よりも前寄りに開口していることを特徴とする請求項５又は６記載のスライド式電子機器。
【請求項８】
前記凹空間部は、前記第１の筐体の前記スライド対向面の当該スライド対向面のスライド開動作方向の後端部から少なくとも中央付近まで延在して、当該凹空間部内の該後端部に開口する第１の引出口から前記フレキシブルプリント基板を引き出して収納する一方、
前記第２の筐体の前記フレキシブルプリント基板を引き出す第２の引出口は、最大開放スライド状態で前記第１の引出口に対向する位置に開口して、
前記第１及び第２の引出口から引き出されて前記凹空間部の中央側で折り返されている前記フレキシブルプリント基板を前記スライド対向面の間に収納することを特徴とする請求項５、６又は７記載のスライド式電子機器。
【発明の詳細な説明】
【技術分野】
【０００１】
この発明は、フレキシブルプリント基板の実装構造及びスライド式電子機器に係り、詳しくは、傾斜面に沿って互いにスライドする上部筐体と下部筐体とのスライド対向面間にフレキシブルプリント基板をコンパクトに収納することのできるフレキシブルプリント基板の実装構造及びスライド式電子機器に関する。
【背景技術】
【０００２】
近年の電子機器には、例えば、表示部と操作部とを別個の筐体に配設して、その一対の筐体同士をスライド自在に連結するものがある。このスライド式電子機器では、未使用時には表示部の背面側に操作部が隠れる状態にする一方、使用時にはその操作部を入力操作可能に露出させる構造を採用することにより、不用意な入力操作の制限とともにコンパクト化を実現している。
【０００３】
この種のスライド式電子機器としては、スライドする一対の筐体内の回路基板間をフレキシブルプリント基板（Flexible Printed Circuits：ＦＰＣ）で電気的に接続する必要がある。このＦＰＣは、通常、双方の筐体内の回路基板間を接続するのに必要な最低限の長さよりも長めにして折り返し箇所（折り返し部）を設けることにより、断線することなく筐体間の相対的なスライド動作に追従して接続状態を維持することができるように実装されている（例えば、特許文献１参照）。
【０００４】
ところで、表示部と操作部を備える電子機器、特に、携帯電話機などの携帯型電子機器では、湾曲面内で操作部と表示部が連続する構造を採用することが提案されている（例えば、特許文献２参照）。なお、この携帯電話機では、表示部に連続する操作部にはカバーをスライドさせて開閉する構造を採用することにより、不用意な入力操作を制限するようにしている。
【先行技術文献】
【特許文献】
【０００５】
【特許文献１】ＷＯ２００６／０９５３８２
【特許文献２】特開平０９−２４７２５２号公報
【発明の概要】
【発明が解決しようとする課題】
【０００６】
しかしながら、この特許文献１に記載のようなスライド式電子機器にあっては、小型化・薄型化が進むとともに、機能の増加に伴って内部に実装する各種部品の占有容積が増大する傾向にある。また、図９及び図１０に示すように、表示部１０１ａを備える筐体１０１と、不図示の操作部を備える筐体１０２とがスライド機構を介してスライド自在に連結されている携帯電話機などのスライド式電子機器１００では、その一対の筐体１０１、１０２の間にＦＰＣ１１０を実装するための空間１２０を、そのスライド方向に一定の高さＨで延在するように確保する必要がある。しかるに、スライド式電子機器１００では、小型化・薄型化を図ることを目的にして、実装空間１２０の高さＨが全体の厚さＴに占める割合を低減するために、ＦＰＣ１２０の折り返し部１２１の曲げ半径を小さく（曲率を大きく）すると、開閉するスライド動作に伴うＦＰＣ１２０の耐久性が低下して断線してしまう。
【０００７】
その一方で、特許文献２に記載の携帯電話機における表示部と操作部との相対的な姿勢を流用して、例えば、操作部側の筐体に対してスライドさせた表示部側の筐体の姿勢を起き上がる方向に傾斜させると、無駄な空間ができてしまう。すなわち、回路基板を内装する筐体の相手側に対向する対向面が湾曲することになるので、その湾曲空間が必要になる。
【０００８】
すなわち、一対の筐体を互いに湾曲する方向にスライドさせる機構を備える電子機器では、ＦＰＣの実装空間を十分に確保する必要があるとともに、相手側に対して湾曲方向にスライドさせるための空間が必要になって、全体の厚さが厚くなる傾向になってしまう。
【０００９】
この発明は、上述の事情に鑑みてなされたもので、機器の厚さが大きく増加してしまうことを回避しつつ、一対の筐体を相対的に斜め傾斜する方向にスライドさせることのできるフレキシブルプリント基板の実装構造及びスライド式電子機器を提供することを目的としている。
【課題を解決するための手段】
【００１０】
上記課題を解決するために、この発明の構成は、互いにスライド自在に機械的に連結されている第１の筐体と第２の筐体とが、両筐体のスライド対向面間を折り返して通されるフレキシブルプリント基板にて電気的にも接続される前記フレキシブルプリント基板の実装構造に係り、前記第１及び第２の筐体のうち、少なくとも一方の筐体を構成する側壁面の高さが、前記スライド自在の方向に沿って、一定の上昇率又は下降率で斜め傾斜に変化する傾斜角一定の構成とされ、かつ、前記第１及び第２の筐体のうち、前記少なくとも一方の筐体の前記スライド対向面には、前記第１の筐体と前記第２の筐体とのスライド動作に伴う前記フレキシブルプリント基板の折り返しの曲率及び位置の変化を吸収するための凹空間部が設けられ、前記側壁面の高さが上昇するにつれて、前記凹空間部の深みが、一定の増加率で増加する一方、前記側壁面の高さが下降するにつれて、前記凹空間部の深みが、一定の減少率で減少する構成となっていて、前記第１の筐体と第２の筐体との間で、スライド開動作が進むにつれて、前記凹空間部内の折り返し環境が高さ方向に漸次広がる一方、スライド閉動作が進むにつれて、前記折り返し環境が高さ方向に漸次狭まる構成となっていることで、前記スライド開動作が進むにつれて、漸次小さな曲率で、前記スライド閉動作が進むにつれて、漸次大きな曲率で、前記フレキシブルプリント基板が折り返されることを特徴としている。
【発明の効果】
【００１１】
この発明の構成によれば、フレキシブルプリント基板は、側壁面の高さが、スライド自在の方向に沿って、一定の上昇率又は下降率で斜め傾斜に変化する、少なくとも、一方の筐体のスライド対向面の凹空間部でスライド動作に伴う姿態変化（折り返しの曲率及び位置の変化）をすることができる。したがって、側壁面の高さが変化するための空間と、フレキシブルプリント基板のスライド動作に伴う姿態変化を吸収するための空間とをそれぞれ別個に準備することを不要にして、機器の厚さが不必要に厚くなってしまうことを回避しつつ小型化・薄型化を実現することができる。
【図面の簡単な説明】
【００１２】
【図１】この発明の第１の参考例に係るスライド機構を備える携帯型電子機器である携帯電話機を示す斜視図である。
【図２】同携帯電話機の上部筐体と下部筐体の構成を示す分解斜視図である。
【図３】同携帯電話機の上部筐体の構成を示す斜視図である。
【図４】同携帯電話機のスライドを説明する図であり、（ａ）はスライド前の状態を示す側面透視図、（ｂ）はスライド後の状態を示す側面透視図である。
【図５】この発明の第１の実施形態に係るスライド機構を備える携帯型電子機器である携帯電話機を示す斜視図である。
【図６】同携帯電話機のスライドを説明する図であり、（ａ）はスライド前の状態を示す側面透視図、（ｂ）はスライド後の状態を示す側面透視図である。
【図７】この発明の第２の実施形態に係るスライド機構を備える携帯型電子機器である携帯電話機を示す斜視図である。
【図８】同携帯電話機のスライドを説明する図であり、（ａ）はスライド前の状態を示す側面透視図、（ｂ）はスライド後の状態を示す側面透視図である。
【図９】関連技術のスライド機構を備える携帯電話を示す斜視図である。
【図１０】同携帯電話機のスライドを説明する図であり、（ａ）はスライド前の状態を示す側面透視図、（ｂ）はスライド後の状態を示す側面透視図である。
【発明を実施するための形態】
【００１３】
フレキシブルプリント基板の実装構造を具現するために、少なくとも一方の筐体のスライド対向面には、第１の筐体と第２の筐体とのスライド動作に伴うフレキシブルプリント基板の折り返しの曲率及び位置の変化を吸収するための凹空間部が設けられている。
以下、図面を参照して、この発明の実施形態について参考例を交えて詳細に説明する。
【参考例】
【００１４】
図１乃至図４は、この発明の参考例に係るフレキシブルプリント基板の実装構造を備えるスライド式電子機器である携帯電話機の一例を示す図である。図１は同携帯電話機の外観を示す斜視図、図２は同携帯電話機を構成する第１及び第２の筐体を示す上斜めからの分離斜視図、図３は同第１の筐体を示す下斜めからの分離斜視図、図４は同第１及び第２の筐体のスライド動作中における回路基板を接続するＦＰＣを示す側面透視図である。
【００１５】
図１において、携帯電話機１０は、上部ユニット１１と下部ユニット２１とを図２以降に図示するフレキシブルプリント基板（以下、単にＦＰＣという）３１で接続して、薄型の直方体形状に重ねることができるように構築されている。携帯電話機１０は、互いに対面させている上部ユニット１１の上部筐体１２の下面１２ｂと下部ユニット２１の下部筐体２２の上面２２ａとを対面状態のまま長手方向にスライド自在に連結されている。上部ユニット１１は、上部筐体１２の上面１２ａの概略全面に各種情報を表示出力する表示部１１ａが配設されている。下部ユニット２１は、上部ユニット１１をスライドさせた後に露出する下部筐体２２の上面２２ａの領域内に各種情報の入力操作をする操作部２１ａ（図２を参照）が配設されている。ここで、携帯電話機１０は、上部ユニット１１と下部ユニット２１とを長手方向に相対的にスライドさせて操作部２１ａを操作可能／不能に開閉することができるが、上部筐体１２と下部筐体２２の相対的なスライド開動作方向を基準にして、それぞれの先端側あるいは後端側として各部の構成を説明する（以下で説明する実施形態においても同様）。
【００１６】
上部ユニット１１は、上部筐体１２の側面（側壁部）１２ｃの高さがスライド自在の方向（以下、単にスライド方向ともいう）に湾曲状に変化して、下面１２ｂが直方体形状の長手方向に湾曲して凸形状に突出している。一方、下部ユニット２１は、同様に、下部筐体２２の側面（側壁部）２２ｃの高さがスライド方向に湾曲状に変化して、上面２２ａが直方体形状の長手方向に湾曲して凹形状に窪んでいる。これら下面１２ｂと上面２２ａは、互いに近接する状態で対面することができるように、断面形状が相似形状に形成されている。下部筐体２２には、図２に示すように、断面が鍵の手形状の突出レール２３が上面２２ａの長手方向の両側に沿うように形成されており、突出レール２３は、上面２２ａの長手方向の半分程度の長さで後端側に延在している。一方、上部筐体１２には、図３に示すように、断面が鍵の手形状の溝レール１３が下面１２ｂの長手方向の両側に沿うように形成されており、溝レール１３は、下面１２ｂの長手方向の全長程度の長さで延在している。これら溝レール１３と突出レール２３は、スライド可能に嵌め合い係合させて連結することができるように断面形状が相似形状に形成されている。
【００１７】
これにより、携帯電話機１０は、溝レール１３内に突出レール２３を嵌め込むことにより、図４に示すように、上部筐体１２の下面１２ｂが下部筐体２２の上面２２ａに対して近接する状態を維持しつつその長手方向の互いの湾曲方向に相対的にスライドさせることができる。すなわち、溝レール１３と突出レール２３がスライド機構を構成しており、上部筐体１２の下面１２ｂと下部筐体２２の上面２２ａがスライド対向面を構成している。そして、上部ユニット１１と下部ユニット２１とを重なっている状態から開方向に相対的にスライドさせると、下部筐体２２の上面２２ａの突出レール２３のない先端側の操作部２１ａを上部筐体１２の下面１２ｂに対向して隠れている状態から入力操作可能に露出させることができる。また、このときには、上部筐体１２の凸形状に湾曲する下面１２ｂは下部筐体２２の凹形状に湾曲する上面２２ａに沿ってスライドして上面１２ａ側の表示部１１ａを立ち上がらせることができる。言い換えると、上部筐体１２側の表示部１１ａは、下部筐体２２の上面２２ａ側の操作部２１ａに対して起きた状態になって、操作部２１ａの操作面を延長した平面内にある場合よりも、ユーザに対面する表示部１１ａの対面角度を大きくすることができ、表示部１１ａの視認性を向上させることができる。
【００１８】
また、上部ユニット１１と下部ユニット２１とは、図２及び図３に示すように、それぞれ上部筐体１２の下面１２ｂや下部筐体２２の上面２２ａに開口する引出口１６、２６から折り返した状態のＦＰＣ３１を内部に差し込んで、内装する回路基板１４、２４（図４を参照）の間を電気的に接続するようになっている。すなわち、ＦＰＣ３１は、上部筐体１２の下面１２ｂや下部筐体２２の上面２２ａに開口する引出口１６、２６から引き出されて（通されて）そのスライド対向面間に折り返し部３１ａを位置させることにより、上部ユニット１１と下部ユニット２１の長手方向へのスライドを可能にしている。
【００１９】
具体的には、上部ユニット１１では、上部筐体１２の凸形状に湾曲する下面１２ｂの長手方向の先端側近傍から後端側近傍までの略全長に亘る凹空間部１５が形成されている。凹空間部１５は、回路基板１４や上面１２ａと平行な底面１５ａを有してＦＰＣ３１よりも幅広になる窪み形状に形成されており、この後端側にＦＰＣ３１の引出口１６が開口している。一方、下部ユニット２１では、下部筐体２２の凹形状に湾曲する上面２２ａの長手方向の後端側近傍からその凹形状の中央付近の最低面付近まで凹空間部２５が形成されている。凹空間部２５は、回路基板２４や下面２２ｂと平行な底面２５ａを有してＦＰＣ３１よりも幅広になる窪み形状に形成されており、この先端側（前寄り）にＦＰＣ３１の引出口２６が開口している。すなわち、上部筐体１２の引出口１６と下部筐体２２の引出口２６は、上部ユニット１１を下部ユニット２１に対して重ねた閉状態でも、また、最大にスライドさせた開状態でも、外部に露出しないように凹空間部１５、２５の端部に形成されている。また、下部筐体２２の引出口２６は、最大にスライドさせた開状態で上部筐体１２の引出口１６に対向する箇所に開口するように形成されている。
【００２０】
一方、ＦＰＣ３１は、上部ユニット１１側では上部筐体１２の凹空間部１５の後端側に開口する引出口１６から引き出された後に、その凹空間部１５の先端側で対面する下部筐体２２の凹空間部２５の先端側まで（中央付近以上まで）延在している。一方、下部ユニット２１側のＦＰＣ３１は、下部筐体２２の凹空間部２５の先端側に開口する引出口２６から引き出された後にその後端側まで延在している。そして、このＦＰＣ３１は、上部ユニット１１側の凹空間部１５の先端側と下部ユニット２１側の凹空間部２５の後端側とで同一方向に延在して折り返されることにより折り返し部３１ａが形成されている。
【００２１】
このため、ＦＰＣ３１は、図４（ａ）に示すように、上部ユニット１１と下部ユニット２１とが重ねた閉状態のときには、折り返し部３１ａが凹空間部２５の引出口２６の後端側近傍に位置して凹空間部１５との間に形成される空間内に収納される。すなわち、上部筐体１２の凹空間部１５内にＦＰＣ３１がほぼ位置することにより、その折り返し部３１ａが負担のない曲率で湾曲して底面１５ａと下面１２ｂと間の最大間隔Ｌ１内に収まるように寸法設定されている。
【００２２】
また、上部ユニット１１を下部ユニット２１に対して最大にスライドさせた開状態のときには、ＦＰＣ３１の折り返し部３１ａは、図４（ｂ）に示すように、凹空間部２５の引出口２６の近傍から後端側に移動して凹空間部１５との間に形成される空間内に収納される。すなわち、上部筐体１２の引出口１６が先端側にスライドする（下部筐体２２の引出口２６に近接する）のに伴って、その引出口１６、２６の間のＦＰＣ３１が折り返し部３１ａの形成位置を変化させて凹空間部２５の中央付近に対応する凹空間部１５内の後端側に位置することにより、外部に露出しないように寸法設定されている。
【００２３】
したがって、ＦＰＣ３１は、上部ユニット１１を下部ユニット２１に対してスライドさせて操作部２１ａを露出させた開状態のときには、上部筐体１２と下部筐体２２の双方の凹空間部１５、２５内に位置することにより、上部ユニット１１と下部ユニット２１とを重ねたときの間隔Ｌ１に凹空間部２５側の空間を加えた間隔Ｌ２内に収まっている。このため、ＦＰＣ３１は、上部ユニット１１を下部ユニット２１に対してスライドさせて使用する際には、折り返し部３１ａをより小さい負荷となる曲率で緩やかに湾曲させる状態に変形させて回路基板１４、２４の接続状態を維持することができる。また、ＦＰＣ３１は、上部ユニット１１のスライド距離Ｌ４よりも短い距離Ｌ３内に収まるので、下部ユニット２１の先端側の露出面積を大きく取ることができ、操作部２１ａの面積を大きく確保することができる。
【００２４】
また、このＦＰＣ３１は、上部筐体１２や下部筐体２２の引出口１６、２６の外側で折り返し部３１ａを移動・変形させている（引出口１６、２６で出入りする必要がない）ので、その上部筐体１２や下部筐体２２の引出口１６、２６以外を密閉したり、その引出口１６、２６も閉塞することができ、防塵性を高めることもできる。
【００２５】
このように、この参考例によれば、湾曲する方向に相対的にスライドさせる上部ユニット１１と下部ユニット２１のスライド対向面となる上部筐体１２の下面１２ｂと下部筐体２２の上面２２ａのそれぞれに凹空間部１５、２５を形成してＦＰＣ３１の折り返し部３１ａを収納することができる。このため、その下面１２ｂ及び上面２２ａと回路基板１４、２４の間の空間をデッドスペースとすることなく有効利用してＦＰＣ３１の耐久性に必要な実装空間（間隔Ｌ１、Ｌ２）を別に設けることなく確保することができる。したがって、操作部２１ａを入力操作するユーザが表示部１１ａを容易に視認することができるように、上部ユニット１１を下部ユニット２１に対して湾曲する方向にスライド可能にする構造を採用する場合でも、機器の厚さが不必要に厚くなってしまうことを回避して小型化・薄型化を実現することができる。
【実施形態１】
【００２６】
次に、図５及び図６は、この発明の第１の実施形態に係るフレキシブルプリント基板の実装構造を備えるスライド式電子機器である携帯電話機の一例を示す図である。図５は同携帯電話機の外観を示す斜視図、図６は同第１及び第２の筐体のスライド動作中における回路基板を接続するＦＰＣを示す側面透視図である。ここで、この実施形態は、上述の参考例と略同様に構成されているので、同様の構成には同一の符号を付して特徴部分を説明する（以下で説明する他の実施形態においても同様）。
【００２７】
図５及び図６において、携帯電話機４０は、上述の参考例と同様に、上部ユニット４１と下部ユニット５１とをＦＰＣ３１で接続して、上面が斜め傾斜する薄型の箱形状に重ねることができるように構築されている。携帯電話機４０は、互いに対面させている上部ユニット４１の上部筐体４２の下面４２ｂと下部ユニット５１の下部筐体５２の上面５２ａとを対面状態のまま長手方向にスライド自在に連結されている。上部ユニット４１は、上部筐体４２の上面４２ａの概略全面に各種情報を表示出力する表示部１１ａが配設されている。下部ユニット５１は、上部ユニット４１をスライドさせた後に露出する下部筐体５２の上面５２ａの領域内に各種情報の入力操作をする不図示の操作部が配設されている。
【００２８】
下部ユニット５１は、下部筐体５２の側面（側壁部）５２ｃの高さがスライド方向に沿って、一定の上昇率又は下降率で斜め傾斜に変化して、上面５２ａが後端側ほど上昇するように斜め傾斜している。上部ユニット４１は、上部筐体４２の上面４２ａと下面４２ｂがその下部筐体５２の上面５２ａと平行に斜め傾斜しており、上部筐体４２の下面４２ｂと下部筐体５２の上面５２ａは、互いに近接する状態で対面している。この上部筐体４２の下面４２ｂと下部筐体５２の上面５２ａには、上述の参考例と同様に、図示することを省略する、断面が鍵の手形状の溝レールと突出レールとが形成されており、互いの下面４２ｂと上面５２ａとを近接対面する状態を維持しつつその長手方向（斜め傾斜方向）に相対的にスライドさせることができる。すなわち、上部ユニット４１と下部ユニット５１とを重なっている閉状態から開方向に相対的にスライドさせると、下部筐体５２の上面５２ａの操作部を上部筐体４２の下面４２ｂに対向して隠れている状態から入力操作可能に露出させることができる。また、このときには、上部筐体４２側の表示部１１ａは、水平方向にスライドする場合よりも、ユーザに対面する表示部１１ａの対面角度を大きくすることができ、表示部１１ａの視認性を向上させることができる。
【００２９】
また、上部ユニット４１では、上部筐体４２の下面４２ｂの長手方向の先端側近傍から後端側近傍までの略全長に亘る凹空間部４５が形成されている。凹空間部４５は、回路基板１４や上面４２ａと平行な底面４５ａを有してＦＰＣ３１を収納可能な深さの窪み形状に形成されており、この後端側にＦＰＣ３１の引出口４６が開口している。一方、下部ユニット５１では、下部筐体５２の上面５２ａの長手方向の後端側近傍から中央付近まで凹空間部５５が形成されている。凹空間部５５は、先端側からある程度の深さを有するとともに回路基板２４や下面５２ｂと平行な底面５５ａを備えてＦＰＣ３１よりも幅広になる窪み形状に形成されており、この先端側（前寄り）にＦＰＣ３１の引出口５６が開口している。すなわち、上部筐体４２の引出口４６と下部筐体５２の引出口５６は、上部ユニット４１を下部ユニット５１に対して重ねた閉状態でも、また、最大にスライドさせた開状態でも、外部に露出しないように凹空間部４５、５５の端部に形成されている。また、下部筐体５２の引出口５６は、最大にスライドさせた開状態で上部筐体４２の引出口４６に対向する箇所に開口するように形成されている。
【００３０】
一方、ＦＰＣ３１は、上部ユニット４１側では上部筐体４２の凹空間部４５の後端側に開口する引出口４６から引き出された後に、その凹空間部４５の先端側で対面する下部筐体５２の凹空間部５５の先端側まで（中央付近以上まで）延在している。一方、下部ユニット５１側のＦＰＣ３１は、下部筐体５２の凹空間部５５の先端側に開口する引出口５６から引き出された後にその後端側まで延在している。そして、このＦＰＣ３１は、上部ユニット４１側の凹空間部４５の先端側と下部ユニット５１側の凹空間部５５の後端側とで同一方向に延在して折り返されることにより折り返し部３１ａが形成されている。
【００３１】
このため、ＦＰＣ３１は、図６（ａ）に示すように、上部ユニット４１と下部ユニット５１とが重ねた閉状態のときには、折り返し部３１ａが凹空間部５５の引出口５６の後端側近傍に位置してその凹空間部５５内に収納される。すなわち、ＦＰＣ３１の折り返し部３１ａが凹空間部５５の引出口５６の後端側近傍に位置することから、上述の参考例よりも凹空間部５５の先端側から深めに形成することにより、その折り返し部３１ａが負担のない曲率で湾曲して収まるように寸法設定されている。
【００３２】
また、上部ユニット４１を下部ユニット５１に対して最大にスライドさせた開状態のときには、ＦＰＣ３１の折り返し部３１ａは、図６（ｂ）に示すように、凹空間部５５の引出口５６の近傍から後端側に移動してその凹空間部５５内に収納される。すなわち、上部筐体４２の引出口４６が先端側にスライドする（下部筐体５２の引出口５６に近接する）のに伴って、その引出口４６、５６の間のＦＰＣ３１が折り返し部３１ａの形成位置を変化させて、斜め傾斜する上面５２ａから最も深くなる凹空間部５５内の後端側に位置することにより、より負担の少ない曲率で緩やかに湾曲するとともに外部に露出しないように寸法設定されている。
【００３３】
このように、この実施形態によれば、斜め傾斜する方向に相対的にスライドさせる下部ユニット５１側の下部筐体５２のスライド対向面となる上面５２ａに形成されている凹空間部５５内にＦＰＣ３１の折り返し部３１ａを収納することができる。このため、その上面５２ａと回路基板２４の間の空間をデッドスペースとすることなく有効利用してＦＰＣ３１の耐久性に必要な実装空間を別に設けることなく確保することができる。したがって、操作部を入力操作するユーザが表示部１１ａを容易に視認することができるように、上部ユニット４１を水平方向に対して斜め傾斜する方向にスライド可能にする構造を採用する場合でも、機器の厚さが不必要に厚くなってしまうことを回避して小型化・薄型化を実現することができる。
【実施形態２】
【００３４】
次に、図７及び図８は、この発明の第２の実施形態に係るフレキシブルプリント基板の実装構造を備えるスライド式電子機器である携帯電話機の一例を示す図である。図７は同携帯電話機の外観を示す斜視図、図８は同第１及び第２の筐体のスライド動作中における回路基板を接続するＦＰＣを示す側面透視図である。
【００３５】
図７及び図８において、携帯電話機６０は、上述の参考例と同様に、上部ユニット６１と下部ユニット７１とをＦＰＣ３１で接続して、薄型の直方体形状に重ねることができるように構築されている。携帯電話機６０は、互いに対面させている上部ユニット６１の上部筐体６２の下面６２ｂと下部ユニット７１の下部筐体７２の上面７２ａとを対面状態のまま長手方向にスライド自在に連結されている。上部ユニット６１は、上部筐体６２の上面６２ａの概略全面に各種情報を表示出力する表示部１１ａが配設されている。下部ユニット７１は、上部ユニット６１をスライドさせた後に露出する下部筐体７２の上面７２ａの領域内に各種情報の入力操作をする不図示の操作部が配設されている。
【００３６】
下部ユニット７１は、下部筐体７２の側面（側壁部）７２ｃの高さがスライド方向に沿って、一定の上昇率又は下降率で斜め傾斜に変化して、上面７２ａが後端側ほど上昇するように斜め傾斜している。上部ユニット６１は、同様に、上部筐体６２の側面（側壁部）６２ｃの高さがスライド方向に沿って、一定の上昇率又は下降率で斜め傾斜に変化して、下面６２ａが後端側ほど降下するように斜め傾斜している。これら下面６２ｂと上面７２ａは、互いに近接する状態で対面している。この上部筐体６２の下面６２ｂと下部筐体７２の上面７２ａには、上述の参考例と同様に、図示することを省略する、断面が鍵の手形状の溝レールと突出レールとが形成されており、互いの下面６２ｂと上面７２ａとを近接対面する状態を維持しつつその長手方向（斜め傾斜方向）に相対的にスライドさせることができる。すなわち、上部ユニット６１と下部ユニット７１とを重なっている閉状態から開方向に相対的にスライドさせると、下部筐体７２の上面７２ａの操作部を上部筐体６２の下面６２ｂに対向して隠れている状態から入力操作可能に露出させることができる。
【００３７】
また、上部ユニット６１では、上部筐体６２の下面６２ｂの長手方向の先端側近傍から後端側近傍までの略全長に亘る凹空間部６５が形成されている。凹空間部６５は、回路基板１４や上面６２ａと平行な底面６５ａを有してＦＰＣ３１よりも幅広になる窪み形状に形成されており、この後端側にＦＰＣ３１の引出口６６が開口している。一方、下部ユニット７１では、下部筐体７２の上面７２ａの長手方向の後端側近傍から中央付近まで凹空間部７５が形成されている。凹空間部７５は、回路基板２４や下面７２ｂと平行な底面７５ａを有してＦＰＣ３１よりも幅広になる窪み形状に形成されており、この先端側（前寄り）にＦＰＣ３１の引出口７６が開口している。すなわち、上部筐体６２の引出口６６と下部筐体７２の引出口７６は、上部ユニット６１を下部ユニット７１に対して重ねた閉状態でも、また、最大にスライドさせた開状態でも、外部に露出しないように凹空間部６５、７５の端部に形成されている。また、下部筐体７２の引出口７６は、最大にスライドさせた開状態で上部筐体６２の引出口６６に対向する箇所に開口するように形成されている。
【００３８】
一方、ＦＰＣ３１は、上部ユニット６１側では上部筐体６２の凹空間部６５の後端側に開口する引出口６６から引き出された後に、その凹空間部６５の先端側で対面する下部筐体７２の凹空間部７５の先端側まで（中央付近以上まで）延在している。一方、下部ユニット７１側のＦＰＣ３１は、下部筐体７２の凹空間部７５の先端側に開口する引出口７６から引き出された後にその後端側まで延在している。そして、このＦＰＣ３１は、上部ユニット６１側の凹空間部６５の先端側と下部ユニット７１側の凹空間部７５の後端側とで同一方向に延在して折り返されることにより折り返し部３１ａが形成されている。
【００３９】
このため、ＦＰＣ３１は、図８（ａ）に示すように、上部ユニット６１と下部ユニット７１とが重ねた閉状態のときには、折り返し部３１ａが凹空間部７５の引出口７６の後端側近傍に位置して凹空間部６５との間に形成される空間内に収納される。すなわち、上部筐体６２の凹空間部６５内の中程度の深さの箇所にＦＰＣ３１の折り返し部３１ａが位置して負担のない曲率で湾曲して収まるように寸法設定されている。
【００４０】
また、上部ユニット６１を下部ユニット７１に対して最大にスライドさせた開状態のときには、ＦＰＣ３１の折り返し部３１ａは、図８（ｂ）に示すように、凹空間部７５の引出口７６の近傍から後端側に移動して凹空間部６５との間に形成される空間内に収納される。すなわち、上部筐体６２の引出口６６が先端側にスライドする（下部筐体７２の引出口７６に近接する）のに伴って、その引出口６６、７６の間のＦＰＣ３１が折り返し部３１ａの形成位置を変化させて凹空間部７５内の最も深い後端側に位置することにより、より負担の少ない曲率で緩やかに湾曲するとともに外部に露出しないように寸法設定されている。
【００４１】
このように、この実施形態によれば、斜め傾斜する方向に相対的にスライドさせる上部ユニット６１と下部ユニット７１のスライド対向面となる上部筐体６２の下面６２ｂと下部筐体７２の上面７２ａのそれぞれに凹空間部６５、７５を形成してＦＰＣ３１の折り返し部３１ａを収納することができる。このため、その下面６２ｂ及び上面７２ａと回路基板１４、２４の間の空間をデッドスペースとすることなく有効利用してＦＰＣ３１の耐久性に必要な実装空間を別に設けることなく確保することができる。したがって、上部ユニット６１を下部ユニット７１に対して斜め傾斜する方向にスライド可能にする構造を採用する場合でも、機器の厚さが不必要に厚くなってしまうことを回避して小型化・薄型化を実現することができる。
【００４２】
ここで、上述の実施形態においては、ＦＰＣを収納する凹空間部を上部筐体と下部筐体の対向面の双方に、少なくともそのＦＰＣの厚さ分程度の深さ以上で形成する場合を一例にして説明するが、これに限らずに、必要な空間を確保することができる場合には、一方のみに凹空間部を形成してもよいことはいうまでもない。例えば、上述の第１の実施形態における凹空間部４５の深さをなくしても良い。
【００４３】
また、上述の実施形態においては、上部筐体と下部筐体の長手方向にスライドさせる場合を一例に説明するが、これに限るものではなく、例えば、一端側を回動支点として相対的に回動する場合であっても、その相対的に回動する面が傾斜する場合にも適用することができる。
【産業上の利用可能性】
【００４４】
この発明は、携帯電話機に限らず、スライド機構を有する電子機器類、例えば、ノート型のパーソナルコンピュータ、ＰＤＡ（携帯情報端末）、デジタルカメラ、デジタルビデオカメラ等の携帯電子端末に広く適用できる。
【符号の説明】
【００４５】
１０、４０、６０        携帯電話機（携帯型電子機器）
１１ａ        表示部
１２、４２、６２        上部筐体（第１の筐体）
１２ｂ、４２ｂ、６２ｂ        下面（スライド対向面）
１２ｃ、２２ｃ、５２ｃ、６２ｃ、７２ｃ        側面（側壁部）
１３        溝レール
１４、２４        回路基板
１５、２５、４５、５５、６５、７５        凹空間部
１６、２６、４６、５６、６６、７６        引出口
２１ａ        操作部
２２、５２、７２        下部筐体（第２の筐体）
２２ａ、５２ａ、７２ａ        上面（スライド対向面）
２３        突出レール
３１        フレキシブルプリント基板（ＦＰＣ）
３１ａ        折り返し部
【図１】
0005618390.tif 000002
【図２】
0005618390.tif 000003
【図３】
0005618390.tif 000004
【図４】
0005618390.tif 000005
【図５】
0005618390.tif 000006
【図６】
0005618390.tif 000007
【図７】
0005618390.tif 000008
【図８】
0005618390.tif 000009
【図９】
0005618390.tif 000010
【図１０】
0005618390.tif 000011